(57)【特許請求の範囲】
【請求項１】
建物躯体の壁面に直接に又は間接に取り付けるための取付孔を開口した横長の取付板であって、高さ方向の途中から前方に突出させた複数のプレート受け片、高さ方向の途中又は最上部から前方に突出させた、取付対象のプレート部材を係止する係止片を横方向移動可能にかつ不陸調整可能に取り付ける、単数又は複数の係止片受け片、及び弾性接着剤と絡み得る絡み構造を備えた金属製の取付板と、
前記係止片受け片に取り付ける前記係止片であって、プレート部材の上下端に形成した係止溝又は背面に形成した係止溝に係止し得る係止舌片を備えた金属製の係止片と、
で構成したプレート部材の取付具。
【請求項２】
前記係止片受け片を、前記取付板の前記プレート受け片の間の、後記係止片の腕片の厚さを越える寸法分だけ該プレート受け片より下方の部位から突出させ、かつ該係止片受け片に、前後方向に不陸調整用の開口寸法を有し、幅方向に後記係止片の垂下片の幅を越える開口寸法を有する係止孔を開口させ、
前記係止片を、前記係止片受け片の係止孔に係止する前記垂下片と、該垂下片の上端から前方に延びる腕片と、該腕片の前端から上方に立ち上がり、上方のプレート部材の下端の係止溝に係止し得る上係止舌片と、該腕片の前端から下方に垂下し、下方のプレート部材の上端の係止溝に係止し得る下係止舌片とで構成した請求項１のプレート部材の取付具。
【請求項３】
前記係止片受け片を、前記取付板の最上部から前方に突出させ、かつ該係止片受け片に後記係止片の吊り下げ片の幅を越える幅方向の開口寸法を有する係止孔を開口させ、
前記係止片を、前記係止片受け片の係止孔に貫通状態に挿入する縦長の吊り下げ片と、該吊り下げ片の上部に構成した折り曲げ可能な折り曲げ固定部と、該吊り下げ片の下部に構成した、前方に位置するプレート部材の背面の係止溝に係止し得る係止舌片とで構成した請求項１のプレート部材の取付具。
【請求項４】
前記取付板及び係止片を構成する金属としてステンレスチールを採用した請求項１、２又は３のプレート部材の取付具。
【発明の詳細な説明】
【技術分野】
【０００１】
本発明は、建物の躯体の壁面に取り付ける特に大型の石材板、タイル、その他のプレート部材を容易に落下しないように確実に壁面に取り付けるためのプレート部材の取付具に関する。
【背景技術】
【０００２】
大型の石材板等を建築物の壁面に取り付けるための取付手段又はそれを用いた取付構造に関しては多くの提案がある。【０００３】
その一は、一枚の固定プレート部材と、一個以上の石板装着部材とからなり、前記固定プレート部材が、アンカーボルトで壁面に接合固定するプレート部と、該プレート部の一部から前方に延び出るボルト部及びこれに螺合する二つのナットとを有し、前記石板装着部材が、前記ボルト部に結合する結合孔を有する基板部と、該基板部から延び出てほぼＬ字形又はＪ字形をなす鉤部とを有し、前記固定プレート部材のボルト部及び二つのナットで、前記石板装着部材の基板部を支持し、該石板装着部材の鉤部をその前面に配した石板の上端又は下端の嵌合溝に装入して該石板を壁面の前面に固設するように構成した石板取付固定具（特許文献１）である。【０００４】
この特許文献１の石板取付固定具は、固定プレート部材を、そのプレート部を建築物の壁面に当接し、かつアンカーボルトで該プレート部を該壁面に固定し、該プレート部から前方に突出するボルト部に石板装着部材の基板部を不陸を調節しつつ取付固定し、該石板装着部材の基板部から延び出るＬ字形又はＪ字形の鉤部を石板の上端又は下端の嵌合溝に挿入して、該石板を建築物の壁面に所定の間隔で平行に取り付けるものである。なお、該石板装着部材の基板部はその結合孔に前記ボルト部を挿通し、その表裏両側に螺合してあるナットで挟持することで該ボルト部の適正な位置に位置決めし、すなわち、不陸を調整した上で、該ボルト部に固定保持するものである。【０００５】
それ故、該石板は、建築物の壁面に取り付ける際に、二つのナットのボルト部における螺合位置を調節して前記基板部の壁面からの距離を適切に調節することにより、その不陸を適切に調節することが可能である。しかし、地震等の振動又は揺動を受けた際に、この石板取付固定具が、建築物の躯体と共に動くと、その鉤部の動きが、支持対象である石板に無理な力を加え、その結合部位である嵌合溝に無用に大きな力を加え、ここから損傷を生じさせる虞がある。また建築物の低い位置では、人や物が該建築物の外装の石板に強く接触又は衝突することもあり、そのような場合に、該石板は、自由に動くことは許容されていないので、該石板の嵌合溝の部分に応力が集中し、この部分から損傷を生じさせる虞がある。【０００６】
またその二は、断面Ｔ字型長尺金物（Ｔ桁状金物）の基部を外装板材の取り付け下地壁面に接合固定し、該断面Ｔ字型長尺金物の天板部（平行板部）の両側を、上下又は左右端面に全長溝を形成した外装板材の該全長溝に嵌合・固定し、かつ該外装板材の裏面と前記取り付け下地壁面との間に弾力性の緩衝材板を挟装・接合した外装板材の壁面取り付け構造（特許文献２）である。【０００７】
この特許文献２の外装板材の壁面取付構造によれば、外装板材は、その上下端及び左右端に形成した長溝に、下地壁面に固定した断面Ｔ字型長尺金物の天板部の両側部を嵌合させることにより、壁面から所定の間隔の位置に固定されることになっている。また前記のように、該外装板材と壁面との間には緩衝材板が装入されている。【０００８】
そこで、この特許文献２の外装板材の壁面取付構造では、この文献２によれば、地震等における下地壁面と外装板材との層間変位は、その間に配した弾力性の緩衝材板によって十分に吸収されうると記述されている。しかし、以上のように、天板部の一側部及び他側部は、それぞれ対応する外装板材の端部の長溝に嵌合状態となっており、そこには、特に自由に動くための余裕は設けられていない。従って、そのような層間変位の際には、該長溝に応力が集中してその部位に損傷が生じる虞があり、この点の問題は全く解消されていなように見える。【０００９】
更にその三は、プレート係止片を、下地に取り付けるための取付け板と、該取付け板から水平方向に突き出したアーム部と、該アーム部の先端に構成した係止上板及び係止下板とで構成し、正面から見て四辺形であるプレート部材の上端と下端とにそれぞれ係止溝を構成し、前記プレート係止片を、前記下地に、前記係止上板と前記係止下板の中間付近が該下地におけるプレート部材の取付け予定位置の上下の目地相当位置に位置し、かつ該係止上板及び該係止下板がそれぞれ取付け予定のプレート部材の上端又は下端の係止溝の位置に対応するように、前記取付け板を前記下地に固定することで、取付け、前記プレート部材を、その下端の係止溝には、下方の目地相当位置に位置する前記プレート係止片の係止上板を装入させ、かつ上端の係止溝には、上方の目地相当位置に位置する前記プレート係止片の係止下板を装入させ、更に該プレート部材の背面と前記下地の表面とは、その間の数箇所にスポット的に配した接着剤で結合し、更に前記目地相当位置に目地材を充填したプレート部材の取付け構造（特許文献３）である。【００１０】
この特許文献３のプレート部材の取付け構造によれば、下地との間にそれ程広い間隔を取らずに、プレート部材を設置可能であり、それ故、該プレート部材は、風圧その他の外部からの圧力に対してかなり高い強度を確保できるものではあるが、地震の際などで建物躯体が揺動乃至振動した場合に、前記係止上板又は前記係止下板と係合する前記係止溝に応力が集中する虞があり、これによって該プレート部材が該係止溝の部位から損傷を生じる虞がないとは云えない。
【先行技術文献】
【特許文献】
【００１１】
【特許文献１】特開平０７−０４０００号公報（日本国特許公開公報）
【特許文献２】特開２００２−０５４２９３号公報（日本国特許公開公報）
【特許文献３】特開平０５−１９５６１０号公報（日本国特許公開公報）
【発明の概要】
【発明が解決しようとする課題】
【００１２】
本発明は、建物の躯体の壁面に配する石材板、タイル、その他の、特に大型プレート部材を、その一部に形成した係止溝等を利用して支持する場合に、建物躯体に加わる地震その他の振動又は揺動等に起因して前記プレート部材に無用の大きな外力が加わろうとした場合に、或いは、風圧や外部を移動する人や物等が該プレート部材に強く接触又は衝突した場合等に、それらによって、特に該プレート部材の係止溝に応力が集中して、これらに損傷を生じさせる虞を低下させ、これらの損傷を通じて生じるプレート部材の落下を防止し得るプレート部材の取付具を提供することを解決の課題とする。
【課題を解決するための手段】
【００１３】
本発明の１は、建物躯体の壁面に直接に又は間接に取り付けるための取付孔を開口した横長の取付板であって、高さ方向の途中から前方に突出させた複数のプレート受け片、高さ方向の途中又は最上部から前方に突出させた、取付対象のプレート部材を係止する係止片を横方向移動可能にかつ不陸調整可能に取り付ける、単数又は複数の係止片受け片、及び弾性接着剤と絡み得る絡み構造を備えた金属製の取付板と、
前記係止片受け片に取り付ける前記係止片であって、プレート部材の上下端に形成した係止溝又は背面に形成した係止溝に係止し得る係止舌片を備えた金属製の係止片と、
で構成したプレート部材の取付具である。【００１４】
本発明の２は、本発明の１のプレート部材の取付具において、
前記係止片受け片を、前記取付板の前記プレート受け片の間の、後記係止片の腕片の厚さを越える寸法分だけ該プレート受け片より下方の部位から突出させ、かつ該係止片受け片に、前後方向に不陸調整用の開口寸法を有し、幅方向に後記係止片の垂下片の幅を越える開口寸法を有する係止孔を開口させ、
前記係止片を、前記係止片受け片の係止孔に係止する前記垂下片と、該垂下片の上端から前方に延びる腕片と、該腕片の前端から上方に立ち上がり、上方のプレート部材の下端の係止溝に係止し得る上係止舌片と、該腕片の前端から下方に垂下し、下方のプレート部材の上端の係止溝に係止し得る下係止舌片とで構成したものである。【００１５】
本発明の３は、本発明の１のプレート部材の取付具において、
前記係止片受け片を、前記取付板の最上部から前方に突出させ、かつ該係止片受け片に後記係止片の吊り下げ片の幅を越える幅方向の開口寸法を有する係止孔を開口させ、
前記係止片を、前記係止片受け片の係止孔に貫通状態に挿入する縦長の吊り下げ片と、該吊り下げ片の上部に構成した折り曲げ可能な折り曲げ固定部と、該吊り下げ片の下部に構成した、前方に位置するプレート部材の背面の係止溝に係止し得る係止舌片とで構成したものである。【００１６】
本発明の４は、本発明の１、２又は３のプレート部材の取付具において、
前記取付板及び係止片を構成する金属としてステンレスチールを採用したものである。
【発明の効果】
【００１７】
本発明の１のプレート部材の取付具によれば、これによって建築物の壁面に石材板等のプレート部材を取り付けると、不陸の調整を確実に行うことが可能であり、かつ地震その他でプレート部材に振動又は揺動等の外力が加わった場合にも該取付具との結合部位に損傷の生じる虞の少ない取り付けができることになる。例えば、地震等により建築物の躯体が揺動又は振動するようなことがあっても、或いは、プレート部材が強い風圧を受けたり、建築物外を移動する人や物から強い衝撃を受けたりしたとしても、前記係止片と前記取付板との結合に余裕があり、更にその余裕のある結合状態でプレート部材と取付具乃至躯体壁面とが弾性接着剤により弾力的に結合保持されているため、プレート部材のこの取付具の係止舌片との結合部である係止溝に応力が集中するような問題が生じる虞れは少ない。それ故、該プレート部材の係止溝付近に損傷を生じる虞は小さい。さらにプレート部材はこのように金属製の係止片によって機械的に結合され、その結合部である係止溝付近に損傷の生じる虞れが小さいので、壁面から落下する虞れは小さいものとなる。【００１８】
本発明の２のプレート部材の取付具は、基本的に、本発明のプレート部材の１の取付具と同様の効果を有する。
本発明の２のプレート部材の取付具を使用する場合は、先ず初めに前記取付板を建物躯体の壁面に取り付ける。この取り付けは、取付板を直接壁面に接合した上で、その取付孔を通じてアンカーボルト等の取付手段の先端側を該壁面の結合孔等に装入しかつ固定することによって行うことができる。または取付板を壁面に固設した何らかの介在物に接合した上で、その取付孔を通じてボルト・ナット等の取付手段を該介在物に装入しかつ固定することによって行うことができる。なお、該取付板は、複数のそれを上下方向に所定の間隔、すなわち、該壁面に設置する石材板等のプレート部材の上下方向の寸法に対応する間隔で取り付ける。【００１９】
次いで、これらの取付板に順次複数のプレート部材を取り付ける。各プレート部材の下端は前記取付板から前方に突出している複数のプレート受け片の上に載せる。このとき、同時に、該プレート部材の下端の係止溝に、予め係止片受け片に配してある係止片の上係止舌片を挿入する。該係止片は、その後部の垂下片を取付板から突出している係止片受け片の係止孔に挿入することで係止しておく。なお、場合により、プレート部材の下端の係止溝に予め係止片の上係止舌片を挿入しておき、該プレート部材の下端を取付板のプレート受け片の上に載置する際に、同時に該係止片の垂下片を該取付板の係止片受け片の係止孔に挿入係止するようにすることも、当然、可能である。【００２０】
更に該プレート部材の上端の係止溝に他の係止片の下係止舌片を挿入し、同時に該係止片の垂下片を対応する上方の位置の取付板の係止片受け片の係止孔に挿入係止する。勿論、これに関しても、作業手順等により、係止片の垂下片を対応する上方の位置の取付板の係止片受け片の係止孔に挿入係止しておき、その下係止舌片を、該プレート部材の上端の係止溝に挿入させるようにすることも可能である。【００２１】
なお、以上のようにして、壁面に取り付けるプレート部材の背後の、取付状態で取付板の絡み構造と対面する部位に、または取り付けるプレート部材に対面する壁面側の取付板の絡み構造の構成してある部位に、予めスポット的に弾性接着剤を配しておき、プレート部材を以上のように壁面に取り付けることとする場合に、該プレート部材と取付板とが弾力的に結合状態になるようにしておく。【００２２】
なおまた、以上のようにして、プレート部材を取り付ける際に、不陸の調整を行う。前記係止片は、その垂下片を係止片受け片の係止孔に係止させるものであるが、前記のように係止孔は前後方向に不陸調整用の余裕寸法を有しているため、係止片の係止状態を前後方向のいずれかの位置に自由に設定することにより、プレート部材の不陸の調整をすることができる。そしてこの不陸の調整状態は、以上のように、プレート部材と取付板の所定の部位にスポット的に配した弾性接着剤により、弾力的に確定することができる。【００２３】
以上の個々のプレート部材の取付作業を必要な回数繰り返すことにより、建物の壁面の要取付領域の全体にプレート部材を取り付け、プレート部材による壁面を作成することが可能となる。【００２４】
以上のように、プレート部材は、これを壁面に取り付けるための係止片が、壁面に直接又は間接に取り付けられた取付板に、前者の垂下片を後者の係止片受け片の不陸調整用の奥行き方向に余裕寸法を有する係止孔に緩やかに嵌合させることにより、前記のように、適切に不陸の調整を行うことが可能であり、併せて該係止孔の幅が該垂下片の幅より広く構成してあることにより、横方向の若干の動きも可能となっている。そして、前記のように、このような状態で、プレート部材の所定の位置関係が弾性接着剤により確定されているものである。【００２５】
従って、例えば、地震等の振動乃至揺動を建物躯体が受けた場合に、前記係止片は、前記弾性接着剤の許容する範囲内で、該振動乃至揺動に対応して、前記のような前後方向の動きに加えて、横方向にも若干の相対的な振動乃至揺動動作が可能であり、そのような地震動や強風時の風圧による動きを吸収することが可能になる。それ故、係止片の上係止舌片及び下係止舌片が挿入係止するプレート部材の各係止溝に応力が集中するような問題が生じる可能性は低減され、その損傷の問題が少なくなる。またこのように各係止溝の損傷のおそれが低下し、上係止舌片又は下係止舌片との機械的結合が確保できるので、プレート部材の壁面への取付が確実になり、その落下の虞を低下させることができる。【００２６】
また前記係止片受け片は、取付板から前記腕片の厚さを越える寸法分だけ前記プレート受け片より低い位置に突出させてあるため、該係止片受け片の係止孔に垂下片を挿入係止させた係止片の腕片は、該プレート受け片に下端を載置したプレート部材の下端でその浮上が抑えられ、脱落が防止されることにはなるが、該プレート部材の荷重がかかることはない。それ故、該腕片は水平状態の本来の状態を維持し得、その結果、係止片の先端の上係止舌片及び下係止舌片の鉛直性を維持し得ることになり、プレート部材の係止溝へのその挿入状態の鉛直性を維持することができることになる。プレート部材を常に鉛直状態に確実に係止保持できることになる訳である。【００２７】
更にまた取付板には弾性接着剤と絡み得る絡み構造を構成したため、取付板と弾性接着剤との結合が確かになり、プレート部材に対する保持力も高められる。プレート部材の背面に同様の絡み構造を構成すれば、一層プレート部材を良好に保持できることになる。【００２８】
プレート部材は、以上のように、地震、風圧、その他の外力がこれに掛かった場合に、結合を弾力的に確保することで、その取付具への直接の結合部である上下端の係止溝への応力の集中を回避してその部位の損傷のおそれをなくすると共に、弾性接着剤との結合が、剥離等によって解消されても、取付具を構成する金具である取付板及び係止片によって落下が防止されるようになっているものである。【００２９】
本発明の３のプレート部材の取付具は、基本的に、本発明のプレート部材の１の取付具と同様の効果を有する。
本発明の３のプレート部材の取付具を使用する場合は、先ず初めに前記取付板を建物躯体の壁面に取り付ける。この取り付けは、取付板を壁面に接合した上で、その取付孔を通じてアンカーボルト等の取付手段の先端側を該壁面の結合孔等に装入しかつ固定することによって行う。または取付板を壁面に固設した何らかの介在物に接合した上で、その取付孔を通じてボルト・ナット等の取付手段の先端側を該介在物に装入しかつ固定することによって行う。なお、該取付板は、複数のそれを上下方向に所定の間隔、すなわち、該壁面に設置する石材板等のプレート部材の上下方向の寸法に対応する間隔で取り付ける。【００３０】
次いで、これらの取付板に順次複数のプレート部材をセットする。各プレート部材の下端は前記取付板から前方に突出している複数のプレート受け片の上に載置する。このとき、同時に、該プレート部材の背面の係止溝に、予め該取付板の最上部の係止片受け片に配してある係止片の係止舌片を挿入する。該係止片は、その上部の吊り下げ片を該係止片受け片の係止孔に挿入し、かつその最上部の折り曲げ固定部を下方に折り返すことで係止固定しておく。または、以上のようにプレート受け片に下端を載置するプレート部材の背面の係止溝に予め係止片の係止舌片を係止しておき、該プレート部材の下端を該プレート受け片に載置した後に、該係止片の最上部の折り曲げ固定部をその下方の吊り下げ片まで係止片受け片の係止孔に下方から貫通させた上で、該折り曲げ固定部を下向きに折り返して該係止片受け片に固定することで取り付けるものとしても良い。【００３１】
なお、以上のようにして、壁面に取り付けるプレート部材の背後の、取付状態で取付板の絡み構造と対面する部位に、または取り付けるプレート部材に対面する壁面側の取付板の絡み構造の構成してある部位に、予めスポット的に弾性接着剤を配しておき、プレート部材を以上のように壁面に取り付ける際に、該プレート部材と該取付板とが弾力的な結合状態になるようにしておく。【００３２】
なおまた、以上のようにして、プレート部材を取り付ける際に、不陸の調整を行う。前記係止片は、その吊り下げ片の上部をその上端に構成した折り曲げ固定部で前記係止片受け片に固定することで、該係止片受け片から吊り下げたものであり、その下部ほど前後方向に大きく動かすことが可能である。それ故、下端の係止舌片を係止溝に係止した係止片の下部付近と共にプレート部材を前後方向に動かしていずれかの適正な位置に自由に位置決めすることが可能であり、プレート部材の適正な不陸の調整をすることができる。そしてその不陸の調整状態は、前記のように、プレート部材と取付板の所定の部位との間にスポット的に配した弾性接着剤により、弾力的に確定することができる。【００３３】
以上の個々のプレート部材の取付作業を必要な回数繰り返すことにより、建物の壁面の要取付領域の全体にプレート部材を取り付け、プレート部材による壁面を構成することが可能となる。【００３４】
以上のように、プレート部材は、これを壁面に取り付けるための係止片が、壁面に直接又は間接に取り付けられた取付板に、前者の吊り下げ片の上部をその折り曲げ固定部で、後者の係止片受け片の係止孔に係止し、該吊り下げ片は、その下部が前後方向に動ける状態で、該係止片受け片に吊り下げ状態となっており、それ故、前記したように、下端の係止舌片で支持するプレート部材の不陸の調整が可能であり、他方、該係止片受け片の係止孔の幅が該吊り下げ片の幅を越える開口寸法に構成されているので、横方向の若干の動きも可能となっている。そして、前記したように、このような状態で、プレート部材の所定の位置関係が弾性接着剤により確定されているものである。【００３５】
従って、例えば、地震等の振動乃至揺動を建物躯体が受けた場合に、前記係止片は、その下部が、前記弾性接着剤の許容する範囲内で、該振動乃至揺動に対応して、前記のような前後方向の動きが可能であり、加えて、横方向にも若干の相対的な振動乃至揺動動作が可能であり、そのような地震動や強風時の風圧による動きを吸収することが可能になる。それ故、係止片の係止舌片が挿入係止するプレート部材の係止溝に応力が集中するような問題が生じる可能性は低減され、その損傷の問題が少なくなる。またこのように係止溝の損傷のおそれが低下し、係止舌片との機械的結合が確保できるので、プレート部材の壁面への取付が確実になり、その落下のおそれを低下させることができる。【００３６】
また取付板に弾性接着剤と絡み得る絡み構造を構成したため、取付板と弾性接着剤との結合が確かになり、プレート部材に対する保持力も高められる。プレート部材の背面に同様の絡み構造を構成すれば、一層プレート部材を良好に保持できることになる。【００３７】
プレート部材は、以上のように、地震、風圧、その他の外力がこれに掛かった場合に、結合を弾力的に確保することで、その取付具への直接の結合部である背面の係止溝への応力の集中を回避してその部位の損傷のおそれをなくすると共に、弾性接着剤との結合が、剥離等によって解消されても、取付具を構成する金具である取付板及び係止片によって落下が防止されるようになっているものである。【００３８】
本発明の４のプレート部材の取付具によれば、長期間の経過によっても腐食を生じがたく耐久性を向上させることができる利点がある。
【図面の簡単な説明】
【００３９】
【図１】(a)は実施例１のプレート部材の取付具を用いて壁面に石材板を取り付けた状態を示す一部切欠縦断面図、(b)は(a)の中央付近の拡大図、(c)は(a)の上部付近の拡大図、(d)は(a)の下部付近の拡大図。
【図２】実施例１のプレート部材の取付具を用いて壁面に石材板を取り付けた状態の一部を示す一部切欠正面図。
【図３】(a)は石材板を取り付けた状態を示す壁面最上部の一部の平面図、(b)は(a)の中央部付近の一部の拡大図。
【図４】(a)は実施例１の取付板の一部切欠正面図、(b)は(a)の一部切欠底面図、(c)は(a)の右側面図。
【図５】実施例１の取付板の係止片受け片に係止片を係止した状態を示す一部の平面断面図。
【図６】(a)は実施例１の係止片の平面図、(b)は正面図、(c)は右側面図。
【図７】(a)は実施例の最上部に用いる上部用取付板の一部切欠正面図、(b)は(a)の一部切欠底面図、(c)は(a)の右側面図。
【図８】(a)は実施例１の最上部に用いる上部用係止片の平面図、(b)は正面図、(c)は右側面図。
【図９】(a)は実施例１の最下部に用いる下部用取付板の一部切欠正面図、(b)は(a)の一部切欠底面図、(c)は(a)の右側面図。
【図１０】下部用取付板に係止した下部用係止片で石材板を支持する状態を示す一部の底面図。
【図１１】(a)は実施例１の最下部に用いる下部用係止片の平面図、(b)は正面図、(c)は右側面図。
【図１２】(a)は実施例１で取付対象に用いた石材板の平面図、(b)は正面図、(c)は(a)のＳ部の拡大図、(d)は(c)のＡ−Ａ線断面図。
【図１３】(a)は他の例の石材板の平面図、(b)は正面図、(c)は(a)のＴ部の拡大図、(d)は(c)のＢ−Ｂ線断面図。
【図１４】(a)は実施例２のプレート部材の取付具を用いて壁面に石材板を取り付けた状態を示す一部切欠縦断面図、(b)は(a)の中央部付近の拡大図。
【図１５】(a)は図１４の(a)の上部付近の拡大図、(b)は図１４の(a)の下部付近の拡大図。
【図１６】実施例２のプレート部材の取付具を用いて壁面に石材板を取り付けた状態の一部を示す一部切欠正面図。
【図１７】(a)は実施例２の取付板の一部切欠正面図、(b)は(a)の一部切欠平面図、(c)は(a)の右側面図。
【図１８】(a)は実施例２の係止片の正面図、(b)は右側面図。
【図１９】(a)は実施例２の最上部に用いる上部用取付板の一部切欠正面図、(b)は(a)の一部切欠平面図、(c)は(a)の右側面図。
【図２０】(a)は実施例２の最下部に用いる下部用取付板の一部切欠正面図、(b)は(a)の一部切欠底面図、(c)は(a)の右側面図。
【図２１】(a)は実施例２で取付対象に用いた石材板の平面図、(b)は背面図、(c)は(b)のＣ−Ｃ線断面図。
【発明を実施するための形態】
【００４０】
本発明を実施するための形態を、実施例に基づいて、図面を参照しながら詳細に説明する。
【００４１】
＜実施例１＞
実施例１のプレート部材の取付具は、建物躯体の壁面ｗにおける石材板ｐの取付領域の最上部と最下部の石材板ｐ以外の取り付けを行うための基本的なそれであるが、最上部の石材板ｐ用及び最下部の石材板ｐ用に特化したそれらも含める。なお、この実施例１のプレート部材の取付具は、種々のプレート部材を取付対象とすることが可能であるが、ここでは、主として図１２に示した石材板ｐを取付対象として説明する。更に該石材板ｐと同様に用いることができる石材板ｐ２についても図１３に示し、最後にこれを取り付ける場合についても略述する。
【００４２】
初めに取付対象の石材板ｐ、ｐ２に関して説明する。石材板ｐは、図１２に示すように、横長長方形の石材製の板状部材であり、その上下端にそれぞれ複数の係止溝ｐｕｍ、ｐｕｍ…及びｐｌｍ、ｐｌｍ…を形成したものである。係止溝ｐｕｍ、ｐｕｍ…及びｐｌｍ、ｐｌｍ…は、それぞれ後述する取付板１の係止片受け片１ｂ、１ｂ…の横方向の配列間隔に対応する間隔で配置し、かつ各対応する位置におけるその数、その横方向の長さ及び幅は、これらに挿入係止することとなる係止片２、上部用係止片１２、下部用係止片２２の上係止舌片２ｃ、２２ｄ又は下係止舌片２ｄ、１２ｄに対応するものとする。
【００４３】
前記石材板ｐ２は、図１３に示すように、横長長方形の石材製の板状部材であり、その上下端にその全長さ方向に沿ってそれぞれ一本の係止溝ｐｕｍ２及びｐｌｍ２を形成したものである。係止溝ｐｕｍ２及びｐｌｍ２は、それぞれの幅を、これらに挿入係止することとなる係止片２、上部用係止片１２、下部用係止片２２の上係止舌片２ｃ、２２ｄ又は下係止舌片２ｄ、１２ｄの厚さに対応するものとする。
【００４４】
先ず実施例１のプレート部材の取付具の基本的な構成のそれから説明する。これは、図１(a)、(b)、図４、図５及び図６に示すように、建物躯体の壁面ｗに直接に又は間接に取り付けるための取付孔１ｈ、１ｈ…、複数のプレート受け片１ａ、１ａ…、複数の係止片受け片１ｂ、１ｂ…及び絡み構造を備えた横長の取付板１と、垂下片２ａ、腕片２ｂ、上係止舌片２ｃ及び下係止舌片２ｄ、２ｄを備えた係止片２とで構成したものである。
【００４５】
前記取付板１は、図１(a)、(b)及び図４に示すように、ステンレススチールで作成した横長の板状部材であり、その上端及び下端に補強片１ｘ、１ｙを直角に屈曲して前方に突出させてある。前記取付孔１ｈ、１ｈ…は、特に図４(a)に示すように、該取付板１の高さ方向中央より若干上方の部位に、円形穴１ｓｈ、１ｓｈ…と交互に一つずつ位置させた状態で横一列に連設開口してある。該取付孔１ｈ、１ｈ…は、該取付板１をアンカーボルト等を用いて壁面ｗに直接に、または壁面ｗに固定した介在物に結合することで間接に壁面ｗに結合する場合に使用するものであるが、取付状態によっては同時に絡み構造としても機能しうる。また以上の円形穴１ｓｈ、１ｓｈ…も、場合により取付孔として用いることが可能であり、取付状態により絡み構造としても機能しうる。なお、以上の絡み構造は、弾性接着剤３を該当する部位に配した場合にこれと絡んで良好に結合するようにする趣旨の構成要素である。
【００４６】
前記プレート受け片１ａ、１ａ…は、図１(a)、(b)及び図４(a)〜(c)に示すように、取付板１の高さ方向略中央の部位に、前記係止片受け片１ｂ、１ｂ…と交互に一つずつ位置させて横方向に連設したものである。個々のプレート受け片１ａは、同図に示すように、取付板１のその部位より下方の部位を切り起こして前方に突き出させた略方形の板状部材であり、該取付板１の前方に配置するプレート部材、この実施例１では石材板ｐの下端の後部側を載置する構成要素である。なお、該各プレート受け片１ａの下方に生じた方形開口部１ａｋは、取付状態により前記絡み構造としても機能しうる。
【００４７】
前記係止片受け片１ｂ、１ｂ…は、図１(a)、(b)及び図４(a)〜(c)に示すように、かつ前記したように、取付板１の高さ方向略中央の部位に、前記プレート受け片１ａ、１ａ…と交互に一つずつ位置させて横方向に連設したものである。もっとも該係止片受け片１ｂ、１ｂ…は、特に図１(a)、(b)及び図４(a)、(c)に示すように、前記プレート受け片１ａ、１ａ…より、前記係止片２の腕片２ｂの厚さを僅かに越える寸法分だけ下方から前方に突出させてある。これは、石材板ｐの重量を係止片受け片１ｂ、１ｂ…で受けさせないようにし、受けた場合に、該係止片受け片１ｂ、１ｂ…が傾き、これに伴ってこれに係止してある係止片２が傾き、石材板ｐの支持が傾いて行われるようになることを回避する趣旨である。
【００４８】
個々の係止片受け片１ｂは、図１(a)、(b)、図４(a)〜(c)及び図５に示すように、基本的に取付板１のその部位より下方の部位を切り起こして前方に突き出させた略方形の板状部材であり、かつその板状部材の内側に、前記係止片２の垂下片２ａを係止する係止孔１ｂｈを開口したものである。この係止孔１ｂｈは、特に図４(b)及び図５に示すように、ここに前記係止片２の垂下片２ａを垂下挿入した場合に、該垂下片２ａを前後方向及び左右方向に一定範囲で移動させうる開口寸法に構成したものである。前後方向の開口余裕寸法は、一つには取付対象の石材板ｐの不陸の調整のためであり、もう一つは、横方向の開口余裕寸法と共に、地震その他の外力を受けた場合に、その振動又は揺動等の動きを吸収し、この取付具と取付対象の石材板ｐとの結合部である係止溝ｐｕｍ、ｐｌｍに応力を集中させないようにする趣旨である。なお、前記各係止片受け片１ｂの下方に生じた方形開口部１ｂｋは、取付状態により前記絡み構造としても機能しうる。
【００４９】
前記絡み構造としては、図１(a)、(b)、図２及び図４に示すように、この実施例１では、上ブリッジ付き方形孔１ｂｂｈ、１ｂｂｈ…及び下ブリッジｕｂ、ｕｂ…を構成したものである。該上ブリッジ付き方形孔１ｂｂｈ、１ｂｂｈ…は、図２及び図４(a)〜(c)に示すように、取付板１の最上部に横一列に配した開口部であり、個々のそれは、横長の四辺形開口部の両側辺の中央間を前方に膨らむブリッジｂ１で接続した態様の開口部である。弾性接着剤３を配した場合に特にブリッジｂ１に良好に絡んで良好な結合状態を作り出すことができるものである。
【００５０】
前記下ブリッジｕｂ、ｕｂ…は、図２及び図４(a)〜(c)に示すように、取付板１の最下部に横一列に配したものであり、個々のそれは、同図に示すように、前記プレート受け片１ａ、１ａ…及び前記係止片受け片１ｂ、１ｂ…を形成するために切り欠かれたその下方の方形開口部１ａｋ、１ａｋ…、１ｂｋ、１ｂｋ…の最下部直上の両側辺間を前方に膨らむ状態で接続した構成の構成要素である。言うまでも無く、弾性接着剤３を配した場合に特にこれに絡んで良好な結合状態を作り出すことができるものである。
【００５１】
なお、前記円形穴１ｓｈ、１ｓｈ…、取付孔１ｈ、１ｈ…及び方形開口部１ａｋ、１ａｋ…、１ｂｋ、１ｂｋ…も、前記のように、取付状態により絡み構造として機能しうる。具体的には、これらを備えた取付板１を壁面ｗに何らかの介在物を介して取り付け、該円形穴１ｓｈ、１ｓｈ…等の背後に若干の空間が生じているような取付状態の場合であり、このような場合にはそれらの部位及び周囲に弾性接着剤３を施すと、該弾性接着剤３が該円形穴１ｓｈ、１ｓｈ…等を通じてその裏面側にも浸入し、その縁やその表裏の各部に絡んで、該弾性接着剤３と良好に結合する状態になり得る。また前記係止片受け片１ｂに開口した係止孔１ｂｈも本来の機能の他に、絡み構造としても機能する。
【００５２】
なお、前記取付板１には、特に図４(a)〜(c)に示すように、更にその補強用の縦長膨出部１ｃ、１ｃ…を前記方形開口部１ａｋ、１ｂｋの各間の部位に形成してある。
【００５３】
前記係止片２は、前記し、図１(a)、(b)、図５及び図６に示すように、ステンレススチールの板材を加工して、垂下片２ａ、腕片２ｂ、上係止舌片２ｃ及び下係止舌片２ｄ、２ｄの各部を構成してなる部材である。
【００５４】
前記垂下片２ａは、同図に示すように、前記係止片受け片１ｂの係止孔１ｂｈの幅より若干狭い幅に形成した舌片状部材であり、前記腕片２ｂの後端中央から垂下する部材である。該垂下片２ａは、該係止孔１ｂｈに前後方向及び左右方向に緩やかに結合することにより、前記したように、一面では、石材板ｐの不陸の調整を可能にし、他面では地震その他の外力を受けた場合に、その動きを吸収できるようにしたものである。
【００５５】
前記腕片２ｂは、同図に示すように、横長長方形状の板状部材であり、係止片２のボディ部をなし、以上のように、その後端中央部から垂下片２ａを直角に垂下させ、前端中央部からは前記上係止舌片２ｃを直角に立ち上げ、前端の両側から各々前記下係止舌片２ｄ、２ｄを直角に垂下させたものである。
【００５６】
以上の上係止舌片２ｃ及び下係止舌片２ｄ、２ｄは、以上に述べ、図１(a)、(b)、図５及び図６(a)〜(c)に示すように、前記腕片２ｂに以上のように配した舌片状部材であり、そのうち、前者の上係止舌片２ｃは、図１(a)、(b)に示すように、その上方に位置する取付対象の石材板ｐの下端の係止溝ｐｌｍに挿入係止すべく直立する構成要素であり、後者の下係止舌片２ｄ、２ｄは、その下方に位置する取付対象の石材板ｐの上端の係止溝ｐｕｍ、ｐｕｍに挿入係止すべく垂下する構成要素である。これらの各上下の取付板１、１の係止片受け片１ｂに係止した係止片２の上係止舌片２ｃ及び下係止舌片２ｄ、２ｄによって取付対象の石材板ｐを取り付けるものである。
【００５７】
次に最上部用に特化したプレート部材の取付具を構成する上部用取付板１１及び上部用係止片１２について説明する。
【００５８】
前記上部用取付板１１は、図１(a)、(c)、図２、図３及び図７に示すように、建物躯体の壁面ｗに直接に又は間接に取り付けるための取付孔１１ｈ、１１ｈ…、係止片受け片１１ｂ及び絡み構造である複数のブリッジ付き方形孔１１ａｂｈ、１１ａｂｈ…を備えた横長のステンレススチール製の板状部材であり、その下端には、補強片１１ｙが直角に屈曲して前方に突出させてある。前記取付孔１１ｈ、１１ｈ…は、特に図７(a)に示すように、該取付板１１の下部に、円形穴１１ｓｈ、１１ｓｈ…と交互に一つずつ位置させた状態で横一列に連設開口してある横長の開口部である。なお、該取付孔１１ｈ、１１ｈ…は、取付状態により前記絡み構造としても機能する。該円形穴１１ｓｈ、１１ｓｈ…も場合により取付孔として用いることも可能であり、更に、取付状態により、前記絡み構造として機能することもある。
【００５９】
前記係止片受け片１１ｂは、図１(a)、(c)、図３及び図７に示すように、上部用取付板１１の最上部を前方に屈曲延長した水平台部１１ｂ１とその先端から直立する直立板部１１ｂ２とからなるものであり、該上部用取付板１１の全長さ範囲に亘って構成したものである。
【００６０】
前記ブリッジ付き方形孔１１ａｂｈ、１１ａｂｈ…は、図１(a)、(c)、図２、図３及び図７に示すように、上部用取付板１１の高さ方向ほぼ中央に横一列に配した開口部であり、個々のそれは、横長の四辺形開口部の両側辺の中央間を前方に膨らむブリッジｂ２で接続した態様の開口部である。
【００６１】
前記上部用係止片１２は、図１(a)、(c)、図２、図３及び図８に示すように、ステンレススチールの板材を加工して、垂下片１２ａ、腕片１２ｂ、背面接合片１２ｃ及び下係止舌片１２ｄの各部を構成してなる部材である。
【００６２】
該垂下片１２ａは、同図に示すように、横長長方形状の腕片１２ｂの後端中央から垂下する舌片状の部材であり、前記係止片受け片１１ｂの直立板部１１ｂ２の上端上に腕片１２ｂを載置した状態で水平台部１１ｂ１上に垂下状態になるものである。この状態で、上部用係止片１２は、背面接合部１２ｃが直立板部１１ｂ２の前面に当接するまで後方にスライド移動させ、該垂下片１２ａの前面が直立板部１１ｂ２の背面に当接するまで前方にスライド移動させることが可能であり、この範囲で不陸の調整を行うことが可能となる。また、以上のように、該垂下片１２ａが直立板部１１ｂ２の背面に当接係止することで上部用係止片１２の、そしてこれで支持される取付対象の石材板ｐの脱落を防止することができることになる。
【００６３】
また以上のような、垂下片１２ａ、腕片１２ｂ及び背面接合片１２ｃと上部用取付板１１の係止片受け片１１ｂの直立板部１１ｂ２との緩やかな結合は、前記のように、一面では、石材板ｐの不陸の調整を可能にし、他面では地震その他の外力を受けた場合に、その際の相対的な石材板ｐの動きを吸収できるようにしたものでもある。
【００６４】
前記腕片１２ｂは、前記し、特に図８に示すように、横長長方形状の板状部材であり、上部用係止片１２のボディ部をなし、以上のように、その後端中央部から垂下片１２ａを直角に垂下させ、該腕片１２ｂの前端からは前記背面接合片１２ｃを垂下させ、かつ該腕片１２ｂの前端中央から前記下係止舌片１２ｄを、更に前方に延長した上で、その延長前端から直角に垂下させて構成したものである。該下係止舌片１２ｄは、同図に示すように、該背面接合片１２ｃの中央部側を切り起こしてその基部側を水平に延長させ、更に、その前部側を直角に折り曲げて垂下させて構成したものである。それ故、同図に示すように、前記背面接合片１２ｃは、その中央部に四辺形に切り欠かれた開口部を有するものとなっている。
【００６５】
以上の下係止舌片１２ｄは、以上に述べ、図１(a)、(c)、図２、図３及び図８に示すように、前記腕片１２ｂに以上のように配した舌片状部材であり、該下係止舌片１２ｄは、一定長さだけ前方に延長した上で、その下方に位置する取付対象の石材板ｐの上端の係止溝ｐｕｍに挿入係止すべく垂下する構成要素である。該下係止舌片１２ｄの前記腕片１２ｂの先端から前方への延長寸法は、対象の石材板ｐの係止溝ｐｕｍの背後側の内面から該石材板ｐの背面までの寸法に略一致させる。該下係止舌片１２ｄを該係止溝ｐｕｍに挿入係止した状態で前記背面接合片１２ｃが該石材板ｐの背面側に当接状態になるようにする趣旨からである。この下係止舌片１２ｄと、直下の取付板１の係止片受け片１ａに係止した係止片２の上係止舌片２ｃとによって、最上部の取付対象の石材板ｐを取り付け保持することができるものである。
【００６６】
最後に最下部用に特化したプレート部材の取付具を構成する下部用取付板２１及び下部用係止片２２について説明する。
【００６７】
該下部用取付板２１は、図１(a)、(d)、図２及び図９に示すように、建物躯体の壁面ｗに直接に又は介在物を介して間接に取り付けるための取付孔２１ｈ、２１ｈ…、係止片受け片２１ｂ及び絡み構造であるブリッジ付き方形孔２１ａｂｈ、２１ａｂｈ…を備えた横長のステンレススチール製の板状部材であり、その上端には、補強片２１ｘが直角に屈曲して前方に突出させてある。前記取付孔２１ｈ、２１ｈ…は、特に図９(a)に示すように、該下部用取付板２１の上部に、円形穴２１ｓｈ、２１ｓｈ…と交互に一つずつ位置させた状態で横一列に連設開口してある横長の開口部である。なお、該取付孔２１ｈ、２１ｈ…は、取付状態により、前記絡み構造としても利用可能である。また以上の円形穴２１ｓｈ、２１ｓｈ…も、場合により、取付孔として利用可能であり、かつ取付状態により、前記絡み構造としても機能しうる。
【００６８】
前記係止片受け片２１ｂは、図１(a)、(d)及び図９に示すように、下部用取付板２１の最下部を前方に屈曲延長した水平台部２１ｂ１とその先端から直立する直立板部２１ｂ２とからなるものであり、該下部用取付板２１の全長さ範囲に亘って構成したものである。
【００６９】
前記ブリッジ付き方形孔２１ａｂｈ、２１ａｂｈ…は、図１(a)、(d)及び図９に示すように、下部用取付板２１の高さ方向中央部より僅かに下部側の部位に横一列に配した開口部であり、個々のそれは、横長の四辺形開口部の両側辺の中央間を前方に膨らむブリッジｂ３で接続した態様の開口部である。
【００７０】
前記下部用係止片２２は、図１(a)、(d)、図１０及び図１１に示すように、ステンレススチール製の板材を加工して、垂下片２２ａ、腕片２２ｂ、背面接合片２２ｃ、下部受け片２２ｅ及び上係止舌片２２ｄの各部を構成してなる部材である。
【００７１】
前記垂下片２２ａは、同図に示すように、横長長方形状の腕片２２ｂの後端から垂下する同幅の舌片状の部材であり、前記係止片受け片２１ｂの水平台部２１ｂ１上にその下端を載せて下部用取付板２１に係止することができる。この状態で、下部用係止片２２は、該垂下片２２ａの後面側が下部用取付板２１の前面側に当接するまで後方に移動させ、該垂下片２２ａの前面が直立板部２１ｂ２の背面に当接するまで前方に移動させることが可能であり、この範囲で取付対象の石材板ｐの不陸の調整が可能となる。また、以上のように、該垂下片２２ａが直立板部２１ｂ２の背面に当接係止することで下部用係止片２２の、そしてこれで支持される取付対象の石材板ｐの係止を確実にし、脱落を防止することができる。
【００７２】
また以上のような、垂下片２２ａ、腕片２２ｂ及び背面接合片２２ｃと下部用取付板２１の係止片受け片２１ｂの直立板部２１ｂ２との緩やかな結合は、前記のように、一面では、石材板ｐの不陸の調整を可能にし、他面では地震その他の外力を受けた場合に、地震による下部用係止片２２及びこれが支持する石材板ｐの相対的な動きを吸収できるようにするものである。
【００７３】
該腕片２２ｂは、前記し、特に図１１に示すように、横長長方形状の板状部材であり、直立状態の前記背面接合片２２ｃの下部途中から上方の部分に逆Ｕ字形に切り込みを入れ、その切り込み内の部分を後方に向かって水平になるように倒して作成したものである。前記垂下片２２ａは、前記したように、こうして作成した腕片２２ｂの後端から屈曲垂下させて構成したものである。
【００７４】
前記背面接合片２２ｃは、以上に述べ、特に図１１に示すように、直立する四辺形の板状部材であるが、以上のように、この実施例１では、その下部途中から上方の部分を切り倒して腕片２２ｂ及び垂下片２２ａを作成したため、その部位に略方形の開口部が生じている。またこの背面接合片２２ｃの下端は、図１１(b)、(c)に示すように、該垂下片２２ａよりその板厚分程度下方に延びており、該背面接合片２２ｃの下端中央から前方に前記下部受け片２２ｅを延長し、更に該下部受け片２２ｅの前端から前記上係止舌片２２ｄを直立状態に構成したものである。該下部受け片２２ｅの延長寸法は、特に図１(a)、(d)及び図１０に示すように、取付対象の石材板ｐの下端の係止溝ｐｌｍの背後側内面から該石材板ｐの背面までの寸法に略一致するものとする。同図に示すように、該上係止舌片２２ｄを石材板ｐの下端の係止溝ｐｌｍに挿入係止した状態で該石材板ｐの背面が前記背面接合片２２ｃに当接状態になるようにする趣旨である。
【００７５】
以上の上係止舌片２２ｄは、以上に述べ、図１(a)、(d)及び図１０に示すように、前記背面接合片２２ｃの下端から延長した下部受け片２２ｅの先端から直立させた舌片状部材であり、該上係止舌片２２ｄは、その上方に位置する取付対象の石材板ｐの下端の係止溝ｐｌｍに挿入係止すべく立ち上がる構成要素である。この上係止舌片２２ｄと、直上の取付板１の係止片受け片１ｂに係止した係止片２の下係止舌片２ｄ、２ｄとによって最下部の取付対象の石材板ｐを壁面に取り付けるものである。
【００７６】
したがって、この実施例１のプレート部材の取付具によれば、これによって建築物の壁面ｗに特に大型のプレート部材、例えば、石材板ｐを取り付ける際に、不陸の調整を容易かつ確実に行うことが可能であり、更に地震その他により石材板ｐ等のプレート部材に外力が加わった場合にも該取付具との結合部位に損傷の生じるおそれの少ない取り付けを行うことができる。
【００７７】
例えば、地震等により建築物の躯体が振動又は揺動するようなことがあっても、或いは、石材板ｐ等のプレート部材が強い風圧を受けたり、建築物の外部を移動する人や物体から強い衝撃を受けたりしたとしても、前記係止片２、上部用係止片１２又は下部用係止片２２と前記取付板１、上部用取付板１１又は下部用取付板２１との結合に一定の余裕があり、更にその余裕のある結合状態の下で石材板ｐ等のプレート部材と取付具乃至躯体壁面とが弾性接着剤３により弾力的に結合保持されることになるため、この取付具の上係止舌片２ｃ、２２ｄ及び下係止舌片２ｄ、１２ｄとの結合部である係止溝ｐｕｍ、ｐｌｍに応力が集中するような問題が生じるおそれは少ない。それ故、該石材板ｐ等のプレート部材の係止溝ｐｕｍ、ｐｌｍ付近に損傷を生じさせるようなおそれは小さい。
【００７８】
この実施例１のプレート部材の取付具を使用して建物躯体の壁面ｗに、例えば、大型の石材板ｐを取り付ける場合は、先ず初めに前記取付板１、上部用取付板１１及び下部用取付板２１を建物躯体の壁面ｗの要設置領域に直接に又は何らかの介在物を介して間接に取り付ける。このとき、上部用取付板１１は、石材板ｐの取付用領域の最上部に取り付け、下部用取付板２１は最下部に取り付ける。
【００７９】
以上の取付板１、上部用取付板１１及び下部用取付板２１は、この実施例１では、図１及び図２に示すように、介在物等を介さずに直接に壁面ｗに取り付けることとし、それぞれの取り付けは、各々の取付孔１ｈ、１ｈ…、１１ｈ、１１ｈ…、２１ｈ、２１ｈ…を通じてアンカーボルトａｂ、ａｂ…を該壁面ｗに予め開口してある下孔に挿入しかつ固定することによって行うこととした。なお、取付領域の最上部及び最下部以外の部位では、複数の取付板１、１…を、上下方向に所定の間隔、すなわち、該壁面ｗに設置する石材板ｐの上下方向の寸法に対応する間隔で取り付ける。上部用取付板１１、１１…は、基本構成の取付板１、１…のうちの最上部に取り付けたそれから石材板ｐの上下方向の寸法に対応する間隔でその上方に取り付ける。下部用取付板２１、２１…は、基本構成の取付板１、１…のうちの最下部に取り付けたそれから石材板ｐの上下方向の寸法に対応する間隔でその下方に取り付ける。
【００８０】
次いで、これらの取付板１、上部用取付板１１及び下部用取付板２１に順次複数の石材板ｐ、ｐ…を取り付ける。この実施例１では、石材板ｐ、ｐ…は、下方から順次上方に取り付けて行くことにした。
【００８１】
まず最初に最下部に配する石材板ｐ、ｐ…の下端にそれぞれ下部用係止片２２を取り付ける。図１(a)、(d)に示すように、該各石材板ｐの下端の係止溝ｐｌｍに該下部用係止片２２の上係止舌片２２ｄを挿入係止し、同時に該石材板ｐの背面に背面接合片２２ｃを接合する。該平面接合片２２ｃと石材板ｐの背面との間には弾性接着剤３を介在させ、両者を接着固定する。
【００８２】
この後、図１(a)、(d)に示すように、以上の下部に下部用係止片２２を取り付けた各石材板ｐを壁面ｗの要設置領域の最下部に取り付ける。該石材板ｐは、その下部の下部用係止片２２の垂下片２２ａを要設置領域の最下部に設置してある下部用取付板２１の係止片受け片２１ｂに取り付ける。該垂下片２２ａは、同図に示すように、これを該係止片受け片２１ｂの水平台部２１ｂ１上に前後方向スライド自在に載置することによって取り付ける。該垂下片２２ａが前方にスライドした場合には、該水平台部２１ｂ１の前端に直立する直立板部２１ｂ２によってそれ以上の前方移動が規制され、該下部用係止片２２及びこれによって支持される石材板ｐの脱落が防止されるようになっており、これによって下部用係止片２２及び石材板ｐの下部用取付板２１への取付状態が確実なものとなる。
【００８３】
その後すぐに、図１(a)、(b)及び図２に示すように、該各石材板ｐの上端の各係止溝ｐｕｍに前記係止片２の下係止舌片２ｄ、２ｄを挿入係止し、同時に該係止片２の垂下片２ａを対応する直上の取付板１の各係止片受け片１ｂの係止孔１ｂｈに挿入係止する。
【００８４】
なお、このとき、更に該各石材板ｐの不陸を調整する。また、図１(a)、(b)、(d)に示すように、このとき、該各石材板ｐには予めその背面に弾性接着剤３をスポット状に付着させておき、該石材板ｐの裏面の対応する部位と下部用取付板２１のブリッジ付き方形孔２１ａｂｈ、２１ａｂｈ…及びその周囲、並びに該石材板ｐの裏面の他の対応する部位と取付板１の上ブリッジ付き方形孔１ｂｂｈ、１ｂｂｈ…、下ブリッジｕｂ付きの方形開口部１ａｋ、１ａｋ…、１ｂｋ、１ｂｋ…及びその周囲との間を該弾性接着剤３で弾力的に結合し、該各石材板ｐの不陸の調整状態を確定する。
【００８５】
なおまた前記不陸の調整は、図１(a)、(b)に示すように、各石材板ｐの上部側は係止片２の垂下片２ａが取付板１の係止片受け片１ｂの係止孔１ｂｈに前後方向スライド自在に係止し、図１(a)、(d)に示すように、各石材板ｐの下部側は下部用係止片２２の垂下片２２ａが下部用取付板２１の水平台部２１ｂ１上にスライド自在に載置しており、それぞれにおいて、前後方向の適切なスライド操作をすることにより行われ得るものである。
【００８６】
次にその直上の石材板ｐ、ｐ…を取り付ける。図１(a)、(b)に示すように、該各石材板ｐの下端を、取付板１の係止片受け片１ｂ、１ｂ…に係止してある前記係止片２、２…の上係止舌片２ｃ、２ｃ…の上方に移動させ、そこから下降させて、該各石材板ｐの下端の係止溝ｐｌｍ、ｐｌｍ…に該上係止舌片２ｃ、２ｃ…を挿入係止する。同時に該取付板１のプレート受け片１ａ、１ａ…上に該石材板ｐの下端の後部側を載置状態にする。
【００８７】
その後すぐに、同図に示すように、該各石材板ｐの上端の係止溝ｐｕｍ、ｐｕｍ…に他の係止片２、２…の下係止舌片２ｄ、２ｄ…を挿入係止し、同時に該係止片２、２…の垂下片２ａ、２ａ…を該各石材板ｐの上端付近に位置する取付板１の係止片受け片１ｂ、１ｂ…の係止孔１ｂｈ、１ｂｈ…に挿入係止する。
【００８８】
なお、このとき、更に該各石材板ｐの不陸を調整する。また、図１(a)、(b)に示すように、このとき、該各石材板ｐには予めその背面に弾性接着剤３をスポット状に付着させておき、該石材板ｐの裏面の上下の対応する部位と取付板１、１の上ブリッジ付き方形孔１ｂｂｈ、１ｂｂｈ…、下ブリッジｕｂ付きの方形開口部１ａｋ、１ａｋ…、１ｂｋ、１ｂｋ…及びその周囲との間を該弾性接着剤３で弾力的に結合し、不陸の調整状態を確定する。
【００８９】
なお、また、前記不陸の調整は、各石材板ｐの下部側は既に調整済みなので、上部側についてのみ対応する係止片２、２…の垂下片２ａ、２ａ…を、取付板１の係止片受け片１ｂの係止孔１ｂｈ中において前後方向にスライド移動させることにより行う。
【００９０】
この後は、以上の最下部から二番目の石材板ｐ、ｐ…の取付方と全く同様の取付方で最上部から二番目の石材板ｐ、ｐ…までを取り付ける。
【００９１】
最上部に取り付ける石材板ｐ、ｐ…には、図１(a)、(c)に示すように、予めその上端に上部用係止片１２、１２…を取り付けておく。同図に示すように、該各上部用係止片１２は、その下係止舌片１２ｄを該各石材板ｐの上端の係止溝ｐｕｍに挿入係止し、同時にその背面接合片１２ｃを該各石材板ｐの背面上部に接合状態とする。このとき、該石材板ｐの背面と該背面接合片１２ｃとの間には弾性接着剤３を介在させ、両者を接着結合状態としておく。
【００９２】
このように各石材板ｐの上端に上部用係止片１２を取り付けた上で、該各石材板ｐを要取付領域の最上部に取り付ける。図１(a)、(b)に示すように、各石材板ｐは、その下端を直下の取付板１の複数の係止片受け片１ｂ、１ｂ…に係止してある複数の係止片２、２…の上係止舌片２ｃ、２ｃ…の上方に位置させた上で下降させ、該各石材板ｐの下端の係止溝ｐｌｍ、ｐｌｍ…に各々該上係止舌片２ｃ、２ｃ…を挿入係止させ、同時に、該各石材板ｐの下端の後部側を、該取付板１の複数のプレート受け片１ａ、１ａ…上に載置する。
【００９３】
更に該各石材板ｐの上部側では、図１(a)、(c)及び図３に示すように、このとき、同時に、該各石材板ｐの上部側に取り付けてある上部用係止片１２、１２…の腕片１２ｂ、１２ｂ…をそれぞれ上部用取付板１１の係止片受け片１１ｂの直立板部１１ｂ２上にスライド自在に載置し、該腕片１２ｂ、１２ｂ…の先端から垂下する垂下片１２ａ、１２ａ…を水平台部１１ｂ１の上方に位置させる。こうして各石材板ｐの上部を、上部用取付板１１に、該各石材板ｐの背面が直立板部１１ｂ２の前面に当接するまで後退し得、垂下片１２ａ、１２ａ…の前面が該直立板部１１ｂ２の背面に当接するまで前進しうる状態で、取り付ける。この取付状態を利用して、このとき、更に該各石材板ｐの不陸を調整する。
【００９４】
なお、他のこれより下方の石材板ｐ、ｐ…と同様に、図１(a)、(b)、(c)に示すように、このとき、該各石材板ｐには、予め、その背面に弾性接着剤３をスポット状に付着させておき、該各石材板ｐの裏面の上方の対応する部位と上部用取付板１１のブリッジ付き方形孔１１ａｂｈ、１１ａｂｈ…及びその周囲との間、並びに該各石材板ｐの裏面の下方の対応する部位と直下の取付板１の上ブリッジ付き方形孔１ｂｂｈ、１ｂｂｈ…及びその周囲、下ブリッジｕｂ付きの方形開口部１ａｋ、１ａｋ…、１ｂｋ、１ｂｋ…及びその周囲との間を該弾性接着剤３で弾力的に結合し、不陸の調整状態を確定する。
【００９５】
なお、前記不陸の調整は、該各石材板ｐの下部側は既に調整済みなので、上部側についてのみ対応する上部用係止片１２、１２…の腕片１２ｂ、１２ｂ…を上部用取付板１１における係止片受け片１１ｂの直立板部１１ｂ２上を前後方向にスライド移動させて行うものである。
【００９６】
最後に必要に応じて、上下左右に隣接する石材板ｐ、ｐ…の目地に目地材を充填する。
【００９７】
従って、例えば、以上のようにして構成された石材板ｐ、ｐ…による壁面ｗは、地震等の振動乃至揺動を建物躯体が受けた場合に、前記弾性接着剤３の許容する範囲内で、該振動乃至揺動に応じて、該石材板ｐ、ｐ…が相対的に前後左右に移動可能であり、それらの振動乃至揺動をかなりの範囲で吸収することができる。
【００９８】
すなわち、上部用取付板１１の直立板部１１ｂ２上に載っている上部用係止片１２、１２…の腕片１２ｂ、１２ｂ…は、その上で一定の範囲で前後に加えて左右にも自由にスライド可能であり、取付板１の係止片受け片１ｂ、１ｂ…の係止孔１ｂｈ、１ｂｈ…に挿入係止状態の係止片２、２…の垂下片２ａ、２ａ…は、該係止孔１ｂｈ、１ｂｈ…の孔内では前後左右に移動可能であり、更に下部用取付板２１の水平台部２１ｂ１上に載っている下部用係止片２２、２２…の垂下片２２ａ、２２ａ…は、その上で一定の範囲で前後及び左右に移動可能であるからである。
【００９９】
それ故、上部用係止片１２、１２…の下係止舌片１２ｄ、１２ｄ…と結合する石材板ｐ、ｐ…の上端の係止溝ｐｕｍ、ｐｕｍ…に、係止片２、２…の上係止舌片２ｃ、２ｃ…又は下係止舌片２ｄ、２ｄ…と結合する石材板ｐ、ｐ…の上端の係止溝ｐｕｍ、ｐｕｍ…又は下端の係止溝ｐｌｍ、ｐｌｍ…に、または下部用係止片２２、２２…の上係止舌片２２ｄ、２２ｄ…と結合する石材板ｐ、ｐ…の下端の係止溝ｐｌｍ、ｐｌｍ…に、それぞれ応力が集中して損傷を生じさせるようなおそれは少ない。
【０１００】
また前記取付板１の係止片受け片１ｂ、１ｂ…は、前記プレート受け片１ａ、１ａ…より係止片２、２…の腕片２ｂ、２ｂ…の厚さを僅かに越える寸法分だけ低い位置から突出させてあるため、該係止片受け片１ｂ、１ｂ…の係止孔１ｂｈ、１ｂｈ…に垂下片２ａ、２ａ…を挿入係止させた係止片２、２…の腕片２ｂ、２ｂ…は、該プレート受け片１ａ、１ａ…に下端を載置した石材板ｐ、ｐ…の下端でその浮上が抑えられ、脱落が防止されることにはなるが、他方、該石材板ｐ、ｐ…の荷重がかかることはない。それ故、該係止片２、２…の腕片２ｂ、２ｂ…の水平状態等の本来の状態が維持し得、その結果、該係止片２、２…の先端の上係止舌片２ｃ、２ｃ…及び下係止舌片２ｄ、２ｄ…の鉛直状態が確実に維持され得ることになり、石材板ｐ、ｐ…の上下端の係止溝ｐｕｍ、ｐｕｍ…、ｐｌｍ、ｐｌｍ…へのその挿入状態の鉛直性を確実に保持し得ることになる。石材板ｐ、ｐ…を常に鉛直状態に確実に係止保持できることになる訳である。
【０１０１】
更にまた取付板１、上部用取付板１１、下部用取付板２１の係止片受け片１ｂ、１１ｂ、２１ｂやプレート受け片１ａを構成した部位以外に弾性接着剤３と絡み得る絡み構造（上ブリッジ付き方形孔１ｂｂｈ、ブリッジ付き方形孔１１ａｂｈ、２１ａｂｈ等）を構成したため、取付板１、１１、２１と弾性接着剤３との結合が確かになり、石材板ｐ、ｐ…に対する保持力も高められる。また、前記したように、係止片受け片１ｂに開口した係止孔１ｂｈは、弾性接着剤３と絡む絡み構造の機能も同時に果たすことができるものであり、これによっても石材板ｐ、ｐ…に対する保持力は高められる。
【０１０２】
石材板ｐ、ｐ…は、以上のように、地震、風圧、その他の外力がこれに掛かった場合に、弾力的に結合を確保することで、その取付具への直接の結合部である上下端の係止溝ｐｕｍ、ｐｕｍ…、ｐｌｍ、ｐｌｍ…への応力の集中を回避してその部位の損傷のおそれをなくすると共に、弾性接着剤３との結合が剥離等によって解消されても、取付具を構成する金具である取付板１、上部用取付板１１、下部用取付板２１及び係止片２、上部用係止片１２、下部用係止片２２によって落下が防止されるようになっているものでもある。
【０１０３】
＜実施例１の変形例＞
図１３に示す他の石材板ｐ２も、この実施例１のプレート部材の取付具を用いて、以上に説明したのと全く同様に壁面ｗに取り付けることが可能である。この石材板ｐ２は、上端の係止溝ｐｕｍ２及び下端の係止溝ｐｌｍ２のいずれも上下端の全範囲に渡って形成してあるので、係止片２、上部用係止片１２及び下部用係止片２２との横方向の位置関係を考慮する必要は無い。
【０１０４】
＜実施例２＞
この実施例２のプレート部材の取付具は、石材板ｐ３の建物躯体の壁面ｗにおける取付領域の最上部と最下部の石材板ｐ３以外の取り付けを行うための基本的なそれであるが、最上部の石材板ｐ３用及び最下部の石材板ｐ３用に特化したそれらも含める。なお、この実施例２のプレート部材の取付具は、種々のプレート部材を取付対象とすることが可能であるが、ここでは、主として、図２１に示した石材板ｐ３を取付対象として説明する。
【０１０５】
初めに取付対象の石材板ｐ３に関して説明する。石材板ｐ３は、図２１に示すように、横長長方形の石材製の板状部材であり、その背面上部に位置する横長の複数の係止溝ｐｂｍ、ｐｂｍ…を形成したものである。これらの係止溝ｐｂｍ、ｐｂｍ…は、石材板ｐ３の背面の、後記取付板３１の係止片受け片３１ｂから吊り下げる係止片３２の係止舌片３２ａで係止するのに適する高さ位置に形成する。また該係止溝ｐｂｍ、ｐｂｍ…は、石材板ｐ３の一枚あたりに用いる係止片３２の数及びそれらの横方向の配列間隔に合わせて、横方向に配列する数及び位置を決定する。この実施例２では、係止溝ｐｂｍは定間隔で５箇所に構成した。
【０１０６】
個々の係止溝ｐｂｍは、図２１(c)に示すように、最下部の開口部から内部の斜め上方に向かって延長する状態に形成した溝であり、その横方向の長さ及び幅は、これらに挿入係止する係止片３２の係止舌片３２ａの横方向の寸法及び厚さを越えたものとする。
【０１０７】
先ず実施例２のプレート部材の取付具の基本的な構成のそれから説明する。これは、図１４(a)、(b)、図１６、図１７(a)〜(c)及び図１８に示すように、建物躯体の壁面ｗに直接に又は介在物を介して間接に取り付けるための取付孔３１ｈ、３１ｈ…、複数のプレート受け片３１ａ、３１ａ…、一枚の係止片受け片３１ｂ及び絡み構造を備えた横長の取付板３１と、前記係止片受け片３１ｂに係止して吊り下げる係止片３２であって、縦長の吊り下げ片３２ｂ、該吊り下げ片３２ｂの上端上に延長状態に構成した折り曲げ固定部３２ｃ及び該吊り下げ片３２ｂの下端下に構成した前記係止舌片３２ａからなる係止片３２とで構成したものである。
【０１０８】
前記取付板３１は、図１６及び図１７(a)、(b)に示すように、ステンレススチールで作成した横長の板状部材であり、その上端に前記係止片受け片３１ｂが直角に屈曲して前方に突出させてあり、下端にも同様に直角に屈曲して前方に突出させた補強片３１ｙが構成してある。該係止片受け片３１ｂは、特に図１７(b)に示すように、その長さ方向に沿って複数の係止孔３１ｂｈ、３１ｂｈ…が定間隔で開口してある。これらの係止孔３１ｂｈ、３１ｂｈ…は、その横方向の長さを、前記係止片３２の折り曲げ固定部３２ｃの幅を若干越え、かつ吊り下げ片３２ｂの幅を余裕を持って十分に越える寸法とし、更にその幅を該折り曲げ固定部３２ｃ及び該吊り下げ片３２ｂの厚さを十分に越える余裕を持った寸法とする。
【０１０９】
この係止孔３１ｂｈは、特に図１４(a)、(b)に示すように、ここに前記係止片３２の吊り下げ片３２ｂの上部を貫通させ、その最上部の折り曲げ固定部３２ｃをその直下で折り返して、該係止片３２を該係止片受け片３１ｂから吊り下げ状態とした場合に、該吊り下げ片３２ｂを前後方向（孔の幅方向）及び左右方向（孔の長さ方向）に一定範囲で移動させうる開口寸法とする。前後方向（幅方向）の開口余裕寸法は、一つには取付対象の石材板ｐ３の不陸の調整のためであり、もう一つは、横方向の開口余裕寸法と共に、地震その他の外力を受けた場合に、その振動又は揺動等の動きを吸収し、この取付具と取付対象の石材板ｐ３との結合部である係止溝ｐｂｍに応力を集中させないようにする趣旨である。なお、石材板ｐ３の不陸の調整は、係止片３２の下部が固定されておらず、前後方向に動くことが可能であることによっても可能となっている。
【０１１０】
前記取付孔３１ｈ、３１ｈ…は、特に図１７(a)に示すように、前記取付板３１の高さ方向中央より若干上方の部位に、円形穴３１ｓｈ、３１ｓｈ…と交互に一つずつ位置させた状態で横一列に連設開口してある。該取付孔３１ｈ、３１ｈ…は、該取付板３１をアンカーボルト等を用いて壁面ｗに結合する場合に使用するものであるが、取付状態によっては、同時に絡み構造としても機能しうる。また以上の円形穴３１ｓｈ、３１ｓｈ…も、場合により取付孔として用いることが可能であり、取付状態によっては、絡み構造としても機能しうる。
【０１１１】
前記プレート受け片３１ａ、３１ａ…は、図１４(a)、(b)及び図１７(a)〜(c)に示すように、取付板３１の高さ方向略中央の部位にその長さ方向に沿って連設したものである。個々のプレート受け片３１ａは、同図に示すように、取付板３１のその部位より下方の部位を切り起こして前方に突き出させた略方形の板状部材であり、該取付板３１の前方に配するプレート部材、この実施例２では石材板ｐ３の下端の後部側を載置するための構成要素である。なお、該プレート受け片３１ａ、３１ａ…の基部側には、前記係止片受け片３１ｂに形成してある前記係止孔３１ｂｈ、３１ｂｈ…のうち、上下対応するそれに対応させて、該係止片受け片３１ｂから吊り下げられた係止片３２の吊り下げ片３２ｂを余裕を持って通過させうる通過穴３１ａｈを開口しておくものとする。なお、前記プレート受け片３１ａに開口した通過穴３１ａｈ及び該プレート受け片３１ａの下方に生じた方形開口部３１ａｋは、前記絡み構造としても機能しうる。
【０１１２】
前記絡み構造としては、図１４(a)、(b)、図１５(a)、(b)、図１６及び図１７(a)〜(c)に示すように、この実施例２では、上ブリッジ付き方形孔３１ｂｂｈ、３１ｂｂｈ…及び下ブリッジ３１ｕｂ、３１ｕｂ…を構成したものである。該上ブリッジ付き方形孔３１ｂｂｈ、３１ｂｂｈ…は、図１６及び図１７(a)〜(c)に示すように、取付板３１の最上部に横一列に配した開口部であり、個々のそれは、横長の四辺形開口部の両側辺の中央間を前方に膨らむブリッジｂ４で接続した態様の開口部である。弾性接着剤３を配した場合に特にブリッジｂ４に良好に絡んで良好な結合状態を作り出すことができる。
【０１１３】
前記下ブリッジ３１ｕｂ、３１ｕｂ…は、図１４、図１６及び図１７(b)、(c)に示すように、取付板３１の下部に横一列に配したものであり、個々のそれは、同図に示すように、前記プレート受け片３１ａ、３１ａ…を形成するために切り欠かれたその下方の方形開口部３１ａｋ、３１ａｋ…の最下部直上の両側辺間を前方に膨らむ状態で接続した構成の部材である。言うまでも無く、弾性接着剤３を配した場合に特にこれに絡んで良好な結合状態を作り出すことができる。
【０１１４】
なお、前記円形穴３１ｓｈ、３１ｓｈ…、取付孔３１ｈ、３１ｈ…及び方形開口部３１ａｋ、３１ａｋ…も、前記したように、取付状態により、絡み構造として機能しうる。絡み構造として機能するのは、具体的には、これらを備えた取付板３１を壁面ｗに何らかの介在物を介して取り付け、該円形穴３１ｓｈ、３１ｓｈ…等の背後に若干の空間が生じているような場合であり、このような場合には、それらの部位及び周囲に弾性接着剤３を施すと、該弾性接着剤３が該円形穴３１ｓｈ、３１ｓｈ…等を通じてその裏面側にも浸入し、その縁やその表裏の各部に絡んで、良好に結合する状態になり得る。
また前記係止片受け片３１ｂの長さ方向に沿って連続開口した複数の係止孔３１ｂｈ、３１ｂｈ…も、本来の機能の他に、絡み構造としても機能する。
【０１１５】
なお、前記取付板３１には、特に図１７(a)〜(c)に示すように、更にその補強用の縦長膨出部３１ｃ、３１ｃ…を前記方形開口部３１ａｋ、３１ａｋの各間の部位に形成してある。
【０１１６】
前記係止片３２は、前記し、図１４(a)、(b)、図１５(a)、図１６及び図１８に示すように、ステンレススチールの板材を加工して、縦長の吊り下げ片３２ｂ、該吊り下げ片３２ｂの上端上に延長状態に構成した折り曲げ固定部３２ｃ、該吊り下げ片３２ｂの下端下に構成した係止舌片３２ａの各部を構成してなる部材である。
【０１１７】
前記吊り下げ片３２ｂは、同図に示すように、前記ステンレススチールの板材を細幅長尺にカットして構成した構成要素であり、前記折り曲げ固定部３２ｃは、該吊り下げ片３２ｂの上端からその約三倍ほどの幅に拡大して若干延長した板状部材である。また前記係止舌片３２ａは、前記吊り下げ片３２ｂの下端から前記折り曲げ固定部３２ｃより若干幅広にまで拡大した当接部３２ｄを延長した上で、該当接部３２ｄの下端から上向きに折り返して構成したものである。
【０１１８】
同図に示すように、該当接部３２ｄは、この実施例２では、その内側をその外形とほぼ相似形に打ち抜いて、内側に開口部を有するものとし、該係止舌片３２ａは、該当接部３２ｄの下端から、これと該当接部３２ｄとの側面から見た内角が所定の角度の鋭角となるように折曲して構成したものである。この角度は、具体的には、前記石材板ｐ３の背面に形成した係止溝ｐｂｍと該石材板ｐ３の背面との間の側面から見た内角の角度にほぼ一致させるものとする。
【０１１９】
前記折り曲げ固定部３２ｃは、前記し、かつ図１８(a)に示すように、吊り下げ片３２ｂより幅広に構成してあるが、特にそのように構成しなくても良い。後述するように、前記係止片受け片３１ｂの係止孔３１ｂｈに貫通させて折り返す際に、吊り下げ片３２ｂとの境界が分かる程度の目印があればそれでも良い。
【０１２０】
従って該係止片３２は、上端の折り曲げ固定部３２ｃを先頭にして、前記係止片受け片３１ｂのいずれか適切な係止孔３１ｂｈにその下方から挿入し、該折り曲げ固定部３２ｃが貫通したところで、該折り曲げ固定部３２ｃを、これと前記吊り下げ片３２ｂの境界付近で折り返し、該係止片３２を該境界付近で吊り下げ状態にすることができる。該係止片３２は、特に図１４(b)に示すように、このように取り付ける場合には、あらかじめその下端の係止舌片３２ａを取付対象の石材板ｐ３の背面に構成してある係止溝ｐｂｍに挿入係止しておくのが適当である。またこの場合は、同図に示すように、該係止溝ｐｂｍ中に接着剤を注入し、かつ前記当接部３２ｄと石材板ｐ３の背面との間にも接着剤を配しておき、相互の結合状態を確保しておくべきである。
【０１２１】
該係止片３２は、このように係止片受け片３１ｂに吊り下げるものであるが、前記のように、吊り下げ片３２ｂは、係止孔３１ｂｈの中を前後左右に動くことができるようになっているため、石材板ｐ３の不陸の調整を行うことが可能であり、また地震その他の外力を受けた場合に、その振動又は揺動等の動きをその係止孔３２ｂｈの余裕で吸収し、この取付具と取付対象の石材板ｐ３との結合部である係止溝ｐｂｍに応力を集中させないようにすることができる。なお、石材板ｐ３の不陸の調整は、更に、係止片３２の下部が固定されておらず、前後方向に動くことが可能であることによっても確保できる。またこの係止片３２で吊り下げられる石材板ｐ３は、その下端が、取付板３１のプレート受け片３１ａ、３１ａ…で支持され、その荷重は該プレート受け片３１ａ、３１ａ…で受けることができるので、該係止片３２は、該石材板ｐ３の落下防止の点だけを担当すれば良く、確実にその点の機能を果たすことができる。
【０１２２】
次に最上部用に特化したプレート部材の取付具を構成する上部用取付板４１について説明する。
【０１２３】
前記上部用取付板４１は、図１４(a)、図１５(a)、図１６及び図１９に示すように、上端から直角に屈曲して前方に突出させてある係止片受け片４１ｂ、建物躯体の壁面ｗに直接に又は介在物を介して間接に取り付けるための取付孔４１ｈ、４１ｈ…、絡み構造である複数の上ブリッジ付き方形孔４１ａｂｈ、４１ａｂｈ…及び下ブリッジ４１ｕｂ、４１ｕｂ…を備えた横長のステンレススチール製の板状部材である。また同図に示すように、該上部用取付板４１の下端には補強片４１ｙが直角に屈曲して前方に突出させてあり、下部の下ブリッジ４１ｕｂを構成したＵ字形開口部４１ａｋ、４１ａｋ…の間には、補強用の縦長膨出部４１ｃ、４１ｃ…が形成してある。
【０１２４】
前記係止片受け片４１ｂは、前記取付板３１の係止片受け片３１ｂと全く同様の構成であり、図１９(b)に示すように、その長さ方向に沿って複数の係止孔４１ｂｈ、４１ｂｈ…が定間隔で開口してある。これらの係止孔４１ｂｈ、４１ｂｈ…も係止片受け片３１ｂの係止孔３１ｂｈ、３１ｂｈ…と全く同様の構成であり、その配置、数、サイズ及び形状のいずれも同様である。当然、その用法も全く同様であり、同様の係止片３２を同様の態様で係止するものである。絡み構造としての機能も有する。
【０１２５】
前記取付孔４１ｈ、４１ｈ…は、特に図１９(a)に示すように、該上部用取付板４１の中央部より若干上部に、円形穴４１ｓｈ、４１ｓｈ…と交互に一つずつ位置させた状態で横一列に連設開口してある横長の開口部である。なお、以上の円形穴４１ｓｈ、４１ｓｈ…も場合により取付孔として用いることが可能である。該取付孔４１ｈ、４１ｈ…及び該円形穴４１ｓｈ、４１ｓｈ…も取付状態により絡み構造として機能することもある。
【０１２６】
前記上ブリッジ付き方形孔４１ａｂｈ、４１ａｂｈ…は、図１４(a)、図１５(a)、図１６及び図１９(a)、(c)に示すように、この実施例２では、上部用取付板４１の上部に横一列に配した開口部であり、個々のそれは、横長の四辺形開口部の両側辺の中央間を前方に膨らむブリッジｂ５で接続した態様の開口部である。また下ブリッジ４１ｕｂ、４１ｕｂ…は、図１４(a)、図１５(a)、図１６及び図１９(a)、(c)に示すように、上部用取付板４１の下部に横一列に配したものであり、個々のそれは、同図に示すように、下部に横一列に配したＵ字形開口部４１ａｋ、４１ａｋ…の最下部直上の両側辺間を前方に膨らむ状態で接続した構成の部材である。それぞれは、言うまでも無く、弾性接着剤３を配した場合に特にこれに絡んで良好な結合状態を作り出すことができるものである。
【０１２７】
なお、図１４(a)、(b)、図１５(a)及び図１６に示すように、係止片３２は、最上部以外の位置に位置する石材板ｐ３の場合は、その上端より高い位置に位置する取付板３１の係止片受け片３１ｂから吊り下げた状態となり、これに対して、取付領域の最上部に位置する石材板ｐ３の場合は、その上端とほぼ同一の高さに位置する上部用取付板４１の係止片受け片４１ｂから吊り下げた状態となる。従って最上部に配置する石材板ｐ３については、その背面に形成する係止溝ｐｂｍを、その分だけ低い位置に形成しておく。若しくは、係止片３２を上部用取付板４１の係止片受け片４１ｂに取り付ける際に、対応する分だけ短くなるように、上部の折り曲げ固定部３２ｃ及び吊り下げ片３２ｂの折り返し分を長くする。
【０１２８】
最後に最下部用に特化したプレート部材の取付具を構成する下部用取付板５１について説明する。なお、最下部に配置する石材板ｐ３の落下防止用としては、それより上方で用いるものと全く同様の係止片３２を用いる。
【０１２９】
該下部用取付板５１は、図１４(a)、図１５(b)、図１６及び図２０に示すように、建物躯体の壁面ｗに直接に又は介在物を介して間接に取り付けるための取付孔５１ｈ、５１ｈ…、絡み構造である二列のブリッジ付き方形孔５１ａｂｈ、５１ａｂｈ…、５１ｂｂｈ、５１ｂｂｈ…及び下端の一枚のプレート受け片５１ａを備えた横長のステンレススチール製の板状部材であり、その上端には、補強片５１ｘが直角に屈曲して前方に突出させてある。
【０１３０】
前記取付孔５１ｈ、５１ｈ…は、特に図２０(a)に示すように、該下部用取付板５１の上部に、円形穴５１ｓｈ、５１ｓｈ…と交互に一つずつ位置させた状態で横一列に連設開口してある横長の開口部である。なお、以上の円形穴５１ｓｈ、５１ｓｈ…も、場合により取付孔として利用可能であり、また取付状態により前記絡み構造として機能することもある。取付孔５１ｈ、５１ｈ…も同様である。
【０１３１】
前記プレート受け片５１ａは、図１４(a)、図１５(b)及び図２０(a)〜(c)に示すように、下部用取付板５１の最下部を前方に屈曲延長した水平板状部材であり、該下部用取付板５１の全長さ範囲に亘って構成したものである。
【０１３２】
前記ブリッジ付き方形孔５１ａｂｈ、５１ａｂｈ…、５１ｂｂｈ，５１ｂｂｈ…は、同図に示すように、前記取付孔５１ｈ、５１ｈ…及び円形穴５１ｓｈ、５１ｓｈ…の列の下方に上下二列に配列形成したものである。図２０(a)〜(c)に示すように、これらは、下部用取付板５１の中央及び下部に各々横一列に配した開口部であり、個々のそれは、横長の四辺形開口部の両側辺の中央間を前方に膨らむブリッジｂ６又はｂ７で接続した態様の開口部である。
【０１３３】
したがって、この実施例２のプレート部材の取付具によれば、これによって建物躯体の壁面ｗに特に大型のプレート部材、例えば、石材板ｐ３を取り付ける際に、不陸の調整を容易かつ確実に行うことが可能であり、更に地震その他により石材板ｐ３等のプレート部材に外力が加わった場合にも該取付具との結合部位に損傷の生じるおそれの少ない取り付けを行うことができる。係止溝ｐｂｍを背面に斜め上向きに形成したものであり、上下端に形成する実施例１のそれと比較してより薄い石材板ｐ３でも適用できる利点もある。
【０１３４】
地震等により建物躯体が揺動又は振動するような場合に、或いは、石材板ｐ３等のプレート部材が強い風圧を受けたり、建物の外部を移動する人や物体から強い衝撃を受けたりしたとしても、前記係止片３２と前記取付板３１又は上部用取付板４１との結合に一定の余裕があり、更にその余裕のある結合状態の下で石材板ｐ３等のプレート部材と取付具乃至建物躯体の壁面ｗとが弾性接着剤３により弾力的に結合保持されることになるため、この取付具の係止舌片３２ａとの結合部である係止溝ｐｂｍに応力が集中するような問題が生じるおそれは少ない。それ故、該石材板ｐ３等のプレート部材の係止溝ｐｂｍ付近に損傷を生じさせるようなおそれは小さい。
【０１３５】
この実施例２のプレート部材の取付具を使用して建物躯体の壁面ｗに、例えば、大型の石材板ｐ３を取り付ける場合は、先ず初めに前記取付板３１、上部用取付板４１及び下部用取付板５１を建物躯体の壁面ｗの要設置領域に直接に又は何らかの介在物を介して間接に取り付ける。このとき、上部用取付板４１は、当然、石材板ｐ３の取付用領域の最上部に取り付け、下部用取付板５１は最下部に取り付ける。
【０１３６】
以上の取付板３１、上部用取付板４１及び下部用取付板５１は、この実施例２では、図１４、図１５及び図１６に示すように、介在物等を介さずに直接に壁面ｗに取り付けることとし、それぞれの取り付けは、各々の取付孔３１ｈ、３１ｈ…、４１ｈ、４１ｈ…、５１ｈ、５１ｈ…を通じてアンカーボルトａｂ、ａｂ…を該壁面ｗに予め開口した下孔に挿入しかつ固定することによって行うこととした。なお、取付領域の最上部及び最下部以外の部位では、複数の取付板３１、３１…を、上下方向に所定の間隔、すなわち、該壁面ｗに設置する石材板ｐ３の上下方向の寸法に対応する間隔で取り付ける。上部用取付板４１、４１…は、基本構成の取付板３１、３１…のうちの最上部に取り付けたそれから石材板ｐ３の上下方向の寸法に対応する間隔でその上方に取り付ける。下部用取付板５１、５１…は、基本構成の取付板３１、３１…のうちの最下部に取り付けたそれから石材板ｐ３の上下方向の寸法に対応する間隔でその下方に取り付ける。
【０１３７】
次いで、これらの取付板３１、上部用取付板４１及び下部用取付板５１に順次複数の石材板ｐ３、ｐ３…を取り付ける。この実施例２では、石材板ｐ３、ｐ３…は、下方から順次上方に取り付けて行くことにした。
【０１３８】
まず最初に最下部に配する石材板ｐ３、ｐ３…の背面の係止溝ｐｂｍ、ｐｂｍ…にそれぞれ前記係止片３２の係止舌片３２ａを装入係止させる。図１４(a)、(b)に示すように、該各石材板ｐ３の背面の係止溝ｐｂｍに該係止片３２の係止舌片３２ａを挿入係止し、同時に該石材板ｐ３の背面に前記当接部３２ｄを接合する。このとき、該当接部３２ｄと石材板ｐ３の背面との間及び係止溝ｐｂｍ中に弾性接着剤３を装入介在させ、両者を接着固定する。
【０１３９】
この後、図１４(a)及び図１５(b)に示すように、以上の背面に係止片３２の係止舌片３２ａを結合した各石材板ｐ３を壁面ｗの要設置領域の最下部に取り付ける。該石材板ｐ３は、その下端後部側を壁面ｗの最下部に取り付けてある下部用取付板５１のプレート受け片５１ａ上に載置し、続いて、その状態で、該下部用取付板５１の直上に取り付けてある取付板３１の係止片受け片３１ｂの上下対応する係止孔３１ｂｈに、その下方のプレート受け片３１ａの通過穴３１ａｈを経由して、係止片３２の上端の折り曲げ固定部３２ｃを先頭にして、その下方から挿入し、該折り曲げ固定部３２ｃが貫通したところで、該折り曲げ固定部３２ｃを、これと前記吊り下げ片３２ｂの境界付近で折り返し、該係止片３２を該境界付近で該係止片受け片３１ｂに吊り下げ状態にする。
【０１４０】
なお、このとき、石材板ｐ３の背面の所定の部位にスポット状に弾性接着剤３を付着させておき、以上のように、壁面ｗの直前に配置する際に、該石材ｐ３の背面上部の所定の部位及び背面下部の所定の部位とこれに対面する取付板３１の上ブリッジ付き方形孔３１ｂｂｈ、３１ｂｂｈ…及び下ブリッジ３１ｕｂ、３１ｕｂ…、並びに下部用取付板５１のブリッジ付き方形孔５１ａｂｈ、５１ａｂｈ…、５１ｂｂｈ、５１ｂｂｈ…を含む領域とを、該弾性接着剤３で弾力的に結合固定する。このとき、同時に、該石材板ｐ３の不陸の調整も行い、そうした上で、石材板ｐ３を該弾性接着剤３により弾力的に結合固定する。
【０１４１】
以上の不陸の調整は、図１４(a)、(b)に示すように、各石材板ｐ３の上部側は係止片３２の吊り下げ片３２ｂが取付板３１の係止片受け片３１ｂの係止孔３１ｂｈに前後方向及び左右方向移動自在に吊り下げ係止し、図１４(a)及び図１５(b)に示すように、各石材板ｐ３の下部側はその下端が下部用取付板５１のプレート受け片５１ａ上に前後及び左右にスライド可能な状態で載置しており、それぞれにおいて、前後方向の適切なスライド操作をすることにより行われ得るものである。
【０１４２】
次にその直上の石材板ｐ３、ｐ３…を取り付ける。まず初めに、先に述べたのと同様に、各石材板ｐ３には、その背面の各係止溝ｐｂｍにそれぞれ係止片３２の係止舌片３２ａを係止させ、前記したのと全く同様に、接着剤を施して相互を結合状態とする。そうした上で、図１４(a)、(b)に示すように、該各石材板ｐ３の下端を、直前に取り付けた最下部の石材板ｐ３、ｐ３…の上端付近に配してある取付板３１のプレート受け片３１ａ上に載置する。
【０１４３】
その後すぐに、同図に示すように、該各石材板ｐ３の背後の係止溝ｐｂｍに結合してある係止片３２の上端の折り曲げ固定部３２ｃを先頭にして、その下端をプレート受け片３１ａ、３１ａ…上に載置した取付板３１より一つ上の取付板３１の係止片受け片３１ｂの上下対応する係止孔３１ｂｈに、その下方から挿入し、該折り曲げ固定部３２ｃが貫通したところで、該折り曲げ固定部３２ｃを、これと前記吊り下げ片３２ｂの境界付近で折り返し、該係止片３２を該境界付近で吊り下げ状態にする。なお、このとき、直前に、以上の折り曲げ固定部３２ｃ及び吊り下げ片３２ｂは、該係止片受け片３１ｂの直下のプレート受け片３１ａに開口した上下対応する通過穴３１ａｈを通過させるべきであるのは言うまでもない。
【０１４４】
また、このとき、該石材板ｐ３の背面の所定の部位にスポット状に弾性接着剤３を付着させておき、以上のように、該石材板ｐ３を壁面ｗの直前に配置する際に、該石材ｐ３の背面上部の所定の部位及び背面下部の所定の部位とこれに対面する上下の取付板３１の上ブリッジ付き方形孔３１ｂｂｈ、３１ｂｂｈ…及び下ブリッジ３１ｕｂ、３１ｕｂ…を含む領域とを、該弾性接着剤３で弾力的に結合固定する。このとき、同時に、該石材板ｐ３の不陸の調整も行い、そうした上で、該弾性接着剤３により、石材板ｐ３を弾力的に結合固定する。
【０１４５】
この後は、以上の最下部から二番目の石材板ｐ３、ｐ３…の取付方と全く同様の取付方で最上部から二番目の石材板ｐ３、ｐ３…までを取り付ける。この後に最上部の石材板ｐ３、ｐ３…を取り付ける。
【０１４６】
最上部の石材板ｐ３、ｐ３…は、これもこれより下方の石材板ｐ３、ｐ３…と全く同様に、係止片３２を取り付けておく。もっともこの場合は、石材板ｐ３、ｐ３…の背面の係止溝ｐｂｍ、ｐｂｍ…は、前記したように、他のそれより必要なだけ下方に形成しておくものとする。
【０１４７】
予め係止片３２を取り付けた上で、図１４(a)、図１５(a)及び図１６に示すように、各石材板ｐ３は、その下端を直下の取付板３１のプレート受け片３１ａ、３１ａ…上に載置し、その背後に取り付けた係止片３２の上部を壁面ｗの取付領域の最上部に配してある上部用取付板４１の係止片受け片４１ｂに取り付ける。詳細には、該係止片３２は、該上部用取付板４１の係止片受け片４１ｂの上下対応する係止孔４１ｂｈに、該係止片３２の上端の折り曲げ固定部３２ｃを先頭にして、その下方から挿入し、該折り曲げ固定部３２ｃが貫通したところで、該折り曲げ固定部３２ｃを、これと前記吊り下げ片３２ｂとの境界付近で折り返し、該係止片３２を該境界付近で吊り下げ状態にする。このとき、前記したように、石材板ｐ３、ｐ３…の係止溝ｐｂｍ、ｐｂｍ…の位置を必要なだけ下方に形成してあるため、吊り下げ片３２ｂの長さは適正なそれとなり、石材板ｐ３、ｐ３…の下端が直下の取付板３１のプレート受け片３１ａ、３１ａ…の上に載った状態で、撓むようなことはない。
【０１４８】
なお、このとき、該各石材板ｐ３の背面の所定の部位にスポット状に弾性接着剤３を付着させておき、以上のように、該各石材板ｐ３を壁面ｗの直前に配置する際に、該石材ｐ３、ｐ３…の背面上部の所定の部位及び背面下部の所定の部位とこれに対面する上方の上部用取付板４１の上ブリッジ付き方形孔４１ａｂｈ、４１ａｂｈ…及び下ブリッジ４１ｕｂ、４１ｕｂ…並びに下方の取付板３１の上ブリッジ付き方形孔３１ｂｂｈ、３１ｂｂｈ…及び下ブリッジ３１ｕｂ、３１ｕｂ…を含む領域とを、該弾性接着剤３で弾力的に結合固定する。このとき、同時に、該各石材板ｐ３の不陸の調整も行い、そうした上で、各石材板ｐ３を該弾性接着剤３により弾力的に結合固定する。
【０１４９】
最後に必要に応じて、上下左右に隣接する石材板ｐ３、ｐ３…の目地に目地材を充填する。
【０１５０】
従って、例えば、以上のようにして構成された石材板ｐ３、ｐ３…による壁面ｗは、地震等の振動乃至揺動を建物躯体が受けた場合に、前記弾性接着剤３の許容する範囲内で、該振動乃至揺動に応じて、該石材板ｐ３、ｐ３…が相対的に前後左右に移動可能であり、それらの振動乃至揺動をかなりの範囲で吸収することができる。
【０１５１】
すなわち、石材板ｐ３、ｐ３…は、それらの下端を、取付板３１、３１…又は下部用取付板５１、５１…のプレート受け片３１ａ、３１ａ…、５１ａ、５１ａ…に横方向及び前後方向スライド自在に載置しており、またその背面の係止溝ｐｂｍ、ｐｂｍ…に下端の係止舌片３２ａを係止し、吊り下げ片３２ｂ及び折り曲げ固定部３２ｃで取付板３１、３１…又は上部用取付板４１、４１…の係止片受け片３１ｂ、３１ｂ…、４１ｂ、４１ｂ…に結合した係止片３２、３２…で吊り下げ状態となっており、係止片３２、３２…の上部（吊り下げ片３２ｂと折り曲げ固定部３２ｃの境界付近）は、該係止片受け片３１ｂ、３１ｂ…、４１ｂ、４１ｂ…の係止孔３１ｂｈ、３１ｂｈ…、４１ｂｈ、４１ｂｈ…に前後左右方向に移動自在に結合し、かつ該係止片３２、３２…の下部付近は、何かに固定されているわけではないので、やはり前後左右方向に移動自在となっているからである。
【０１５２】
それ故、係止片３２、３２…の係止舌片３２ａ、３２ａ…と結合する石材板ｐ３、ｐ３…の背面の係止溝ｐｂｍ、ｐｂｍ…に応力が集中してこれらに損傷を生じさせるようなおそれは少ない。
【０１５３】
更にまた取付板３１、上部用取付板４１、下部用取付板５１に上ブリッジ付き方形孔３１ｂｂｈ、３１ｂｂｈ…、４１ａｂｈ、４１ａｂｈ…、ブリッジ付き方形孔５１ａｂｈ、５１ａｂｈ…、５１ｂｂｈ、５１ｂｂｈ…等を構成したため、弾性接着剤３とこれらを介して取付板３１、４１、５１との結合が確かになり、石材板ｐ３、ｐ３…に対する保持力も高められる。
【０１５４】
石材板ｐ３、ｐ３…は、以上のように、地震、風圧、その他の外力がこれに掛かった場合に、弾力的に結合を確保することで、その取付具への直接の結合部である背面の係止溝ｐｂｍ、ｐｂｍ…への応力の集中を回避してその部位の損傷のおそれをなくすると共に、弾性接着剤３との結合が剥離等によって解消されても、取付具を構成する金具である取付板３１、上部用取付板４１及び係止片３２によって落下が防止されるようになっているものでもある。
【産業上の利用可能性】
【０１５５】
本発明のプレート部材の取付具は、建材の製造業の分野及び建築の分野で利用できるものである。
【符号の説明】
【０１５６】
１    取付板
１ａ  プレート受け片
１ａｋ  方形開口部
１ｂ  係止片受け片
１ｂｋ  方形開口部
１ｂｈ  係止孔
１ｂｂｈ  上ブリッジ付き方形孔
１ｃ  縦長膨出部
１ｈ  取付孔
１ｓｈ  円形穴
１ｘ  取付板の上側の補強片
１ｙ  取付板の下側の補強片
２    係止片
２ａ  垂下片
２ｂ  腕片
２ｃ  上係止舌片
２ｄ  下係止舌片
３    弾性接着剤
１１  上部用取付板
１１ａｂｈ  ブリッジ付き方形孔
１１ｂ  係止片受け片
１１ｂ１  水平台部
１１ｂ２  直立板部
１１ｈ  取付孔
１１ｓｈ  円形穴
１１ｙ  上部用取付板の下側の補強片
１２  上部用係止片
１２ａ  垂下片
１２ｂ  腕片
１２ｃ  背面接合片
１２ｄ  下係止舌片
２１  下部用取付板
２１ａｂｈ  ブリッジ付き方形孔
２１ｂ  係止片受け片
２１ｂ１  水平台部
２１ｂ２  直立板部
２１ｈ  取付孔
２１ｓｈ  円形穴
２１ｘ  補強片
２２  下部用係止片
２２ａ  垂下片
２２ｂ  腕片
２２ｃ  背面接合片
２２ｄ  上係止舌片
２２ｅ  下部受け片
ａｂ  アンカーボルト
ｂ１、ｂ２、ｂ３、ｂ４、ｂ５、ｂ６、ｂ７  ブリッジ
ｕｂ  下ブリッジ
ｐ、ｐ２、ｐ３  石材板
ｐｕｍ、ｐｕｍ２  石材板の上端の係止溝
ｐｌｍ、ｐｌｍ２  石材板の下端の係止溝
ｐｂｍ  石材板の背面の係止溝
Ｗ    壁面
３１    取付板
３１ａ  プレート受け片
３１ａｈ  通過穴
３１ａｋ  方形開口部
３１ｂ  係止片受け片
３１ｂｈ  係止孔
３１ｂｂｈ  上ブリッジ付き方形孔
３１ｃ  縦長膨出部
３１ｈ  取付孔
３１ｓｈ  円形穴
３１ｕｂ  下ブリッジ
３１ｙ  補強片
３２  係止片
３２ａ  係止舌片
３２ｂ  吊り下げ片
３２ｃ  折り曲げ固定部
３２ｄ  当接部
４１    上部用取付板
４１ａｂｈ  上ブリッジ付き方形孔
４１ａｋ  Ｕ字形開口部
４１ｂ  係止片受け片
４１ｂｈ  係止孔
４１ｃ  縦長膨出部
４１ｈ  取付孔
４１ｓｈ  円形穴
４１ｕｂ  下ブリッジ
４１ｙ  補強片
５１    下部用取付板
５１ａ  プレート受け片
５１ａｂｈ，５１ｂｂｈ  ブリッジ付き方形孔
５１ｈ  取付孔
５１ｓｈ  円形穴
５１ｘ  補強片
【図１】
0005850358.tif 000002
【図２】
0005850358.tif 000003
【図３】
0005850358.tif 000004
【図４】
0005850358.tif 000005
【図５】
0005850358.tif 000006
【図６】
0005850358.tif 000007
【図７】
0005850358.tif 000008
【図８】
0005850358.tif 000009
【図９】
0005850358.tif 000010
【図１０】
0005850358.tif 000011
【図１１】
0005850358.tif 000012
【図１２】
0005850358.tif 000013
【図１３】
0005850358.tif 000014
【図１４】
0005850358.tif 000015
【図１５】
0005850358.tif 000016
【図１６】
0005850358.tif 000017
【図１７】
0005850358.tif 000018
【図１８】
0005850358.tif 000019
【図１９】
0005850358.tif 000020
【図２０】
0005850358.tif 000021
【図２１】
0005850358.tif 000022